(57)【要約】【課題】ユーザの入眠を妨げること無く、ユーザが使用する機器を設定しつつＯＮすることができる機器操作システムを提供する。【解決手段】機器操作システム１００は、ユーザ１が覚醒状態であるか睡眠状態であるかを判断する睡眠状態判断部２０ａと、携帯端末５０から機器６１、６２の設定値を受信した場合に、機器６１、６２の設定値を更新記憶する設定値記憶部３０ｃと、携帯端末５０から機器６１、６２をＯＮする信号を受信した場合に、設定値記憶部３０ｃに記憶されている機器６１、６２の設定値で機器６１、６２をＯＮする信号を送信する機器ＯＮ信号送信部３０ｄと、睡眠状態判断部２０ａによって覚醒状態にあったユーザ１の睡眠状態が判断された場合に、ユーザ１の睡眠状態における機器６１、６２の設定値である睡眠状態設定値を機器６１、６２に送信する睡眠状態設定値送信部３０ｅと、を有する【選択図】図１
2016065665.tif 000002
【特許請求の範囲】
【請求項１】
ユーザの生体情報を検出する生体情報検出部と、
前記生体情報検出部によって検出された前記生体情報に基づいて、前記ユーザが覚醒状態であるか睡眠状態であるかを判断する睡眠状態判断部と、
ユーザが使用する機器と通信する機器通信部と、
ユーザが使用する携帯端末と通信する携帯端末通信部と、
前記携帯端末から前記携帯端末通信部を介して前記機器の設定値を受信した場合に、前記機器の設定値を更新記憶する設定値記憶部と、
前記携帯端末から前記携帯端末通信部を介して前記機器をＯＮする信号を受信した場合に、前記設定値記憶部に記憶されている前記機器の設定値で前記機器をＯＮする信号を前記機器通信部を介して前記機器に送信する機器ＯＮ信号送信部と、
前記睡眠状態判断部によって覚醒状態にあった前記ユーザの睡眠状態が判断された場合に、前記ユーザの睡眠状態における前記機器の設定値である睡眠状態設定値を前記機器通信部を介して前記機器に送信する睡眠状態設定値送信部と、を有する機器操作システム。
【請求項２】
前記睡眠状態設定値は、前記設定値記憶部に記憶されている前記機器の設定値に基づいて設定される請求項１に記載の機器操作システム。
【請求項３】
前記設定値記憶部は、前記携帯端末通信部を介して前記携帯端末から受信した前記ユーザの起床時刻を記憶し、
前記設定値記憶部に記憶された前記ユーザの起床時刻に基づいた時刻が到来した場合に、前記ユーザの起床時における前記機器の設定値である起床時設定値を前記機器通信部を介して前記機器に送信する起床時設定値送信部を更に有する請求項１又は請求項２に記載の機器操作システム。
【請求項４】
睡眠状態判断部は、前記生体情報検出部によって検出された前記生体情報に基づいて、前記ユーザの途中覚醒又は途中覚醒による離床を判断し、
前記睡眠状態判断部が前記ユーザの途中覚醒又は途中覚醒による離床を判断した場合に、前記ユーザの途中覚醒時の前記機器の設定値である途中覚醒時設定値を前記機器通信部を介して前記機器に送信する途中覚醒時設定値送信部を更に有する請求項１〜請求項３のいずれか一項に記載の機器操作システム。
【発明の詳細な説明】
【技術分野】
【０００１】
本発明は、ユーザが使用する機器を携帯端末及びユーザの睡眠状態に基づいて操作する技術に関する。
【背景技術】
【０００２】
従来から特許文献１に示されるように、ユーザの睡眠中における時間の経過によって設置温度が変化する複数パターンの運転モードをユーザが選択することができる空調機器が提案されている。
【先行技術文献】
【特許文献】
【０００３】
【特許文献１】特開２０１３−７５０７号公報
【発明の概要】
【発明が解決しようとする課題】
【０００４】
ユーザが、入眠前に複数パターンの運転モードから１の運転モードを選択することは、ユーザにとって負担であり、ユーザの入眠を妨げてしまう。
【０００５】
本発明は、上述した各問題を解消するためになされたもので、ユーザの入眠を妨げること無く、ユーザが使用する機器を設定しつつＯＮすることができる機器操作システムを提供することを目的とする。
【課題を解決するための手段】
【０００６】
上記の課題を解決するため、請求項１に係る機器操作システムの発明は、ユーザの生体情報を検出する生体情報検出部と、前記生体情報検出部によって検出された前記生体情報に基づいて、前記ユーザが覚醒状態であるか睡眠状態であるかを判断する睡眠状態判断部と、ユーザが使用する機器と通信する機器通信部と、ユーザが使用する携帯端末と通信する携帯端末通信部と、前記携帯端末から前記携帯端末通信部を介して前記機器の設定値を受信した場合に、前記機器の設定値を更新記憶する設定値記憶部と、前記携帯端末から前記携帯端末通信部を介して前記機器をＯＮする信号を受信した場合に、前記設定値記憶部に記憶されている前記機器の設定値で前記機器をＯＮする信号を前記機器通信部を介して前記機器に送信する機器ＯＮ信号送信部と、前記睡眠状態判断部によって覚醒状態にあった前記ユーザの睡眠状態が判断された場合に、前記ユーザの睡眠状態における前記機器の設定値である睡眠状態設定値を前記機器通信部を介して前記機器に送信する睡眠状態設定値送信部と、を有する。
【０００７】
このように、機器ＯＮ信号送信部は、携帯端末から機器をＯＮする信号を受信した場合に、設定値記憶部に記憶されている機器の設定値で機器をＯＮする信号を機器に送信する。これにより、ユーザが、機器がＯＮとなる操作を携帯端末で行うだけで、前回ユーザが設定した設定値で機器をＯＮ状態にすることができる。このため、ユーザに煩雑な操作を強いること無く、ユーザが機器を上記設定値でＯＮ状態にすることができるので、入眠前のユーザの入眠が阻害されない。
【０００８】
また、睡眠状態設定値送信部は、覚醒していたユーザが睡眠した場合に、睡眠状態設定値を機器に送信する。これにより、覚醒していたユーザが睡眠した場合に、ユーザの睡眠に適した設定値である睡眠状態設定値で機器が運転されるので、ユーザは快適に睡眠することができる。
【図面の簡単な説明】
【０００９】
【図１】機器操作システムの概要図である。
【図２】機器操作信号処理のタイムチャートである。
【図３Ａ】図１に示す機器操作信号送信装置が実行する「機器操作信号送信処理」のフローチャートである。
【図３Ｂ】図１に示す機器操作信号送信装置が実行する「機器操作信号送信処理」のフローチャートである。
【発明を実施するための形態】
【００１０】
（機器操作システムの構成）
以下に、図１を用いて、本実施形態の機器操作システム１００の概要を説明する。機器操作システム１００は、生体情報検出センサ１３、睡眠状態解析装置２０、機器操作信号送信装置３０、中継装置４０を有している。
【００１１】
ユーザ１の寝室には、マット１１、空調機器６１及び照明機器６２（ユーザ１が使用する機器に該当）が配置されている。
【００１２】
図１において、５０はユーザ１が使用する携帯端末である。携帯端末５０には、所謂スマートフォンやタブレットＰＣが含まれる。携帯端末５０は、外部と無線通信するための無線通信部５０ｂを備えている。無線通信部５０ｂは、中継装置４０と相互に通信する。携帯端末５０は、タッチパネル５０ｃを備えている。携帯端末５０には、携帯端末５０を空調機器６１及び照明機器６２のリモートコントローラとして使用するため、つまり、空調機器６１及び照明機器６２のＯＮ、ＯＦＦや、空調機器６１及び照明機器６２の設定値の変更等の操作をするためのマルチリモートコントローラアプリケーション５０ａがインストールされている。ユーザ１が、タッチパネル５０ｃに表示されるマルチリモートコントローラアプリケーション５０ａの操作画面を操作することにより、空調機器６１及び照明機器６２を操作することができるようになっている。
【００１３】
マット１１は、ユーザ１が睡眠時にその上面に着床して睡眠するものである。生体情報検出センサ１３（生体情報検出部に該当）は、ユーザ１の体動、ユーザ１の脈拍、ユーザ１の脳波の少なくとも１つの情報である生体情報を検出するセンサである。生体情報検出センサ１３は、本実施形態では、マット１１内に設けられている。なお、生体情報検出センサ１３がユーザに直接装着されている実施形態であっても差し支え無い。また、生体情報検出センサ１３のうち、ユーザ１の体動を検出するセンサが、マット１１が載置されるベットフレーム１１ａの本体１１ａ１や脚部１１ａ２に設けられていても差し支え無い。
【００１４】
睡眠状態解析装置２０は、生体情報検出センサ１３と通信可能に接続されている。睡眠状態解析装置２０は、睡眠状態判断部２０ａ、無線通信部２０ｂを有している。無線通信部２０ｂは、中継装置４０と相互に無線通信する。
【００１５】
睡眠状態判断部２０ａは、生体情報検出センサ１３からの検出信号に基づいて、マット１１上に着床しているユーザ１の睡眠状態、覚醒状態、覚醒直前状態、途中覚醒状態のいずれかを判断し、これらの状態をそれぞれ睡眠信号、覚醒信号、覚醒直前信号、途中覚醒信号として、無線通信部２０ｂによって中継装置４０を介して機器操作信号送信装置３０の無線通信部３０ｂに送信する。生体情報検出センサ１３がユーザ１の体動を検出するセンサである場合には、睡眠状態解析装置２０は、生体情報検出センサ１３によって検出されたユーザ１の単位時間当たりの体動に基づいて、ユーザ１の睡眠状態、覚醒状態、覚醒直前状態、途中覚醒状態のいずれかを判断する。
【００１６】
また、睡眠状態判断部２０ａは、生体情報検出センサ１３からの検出信号に基づいて、ユーザ１がマット１１上に着床しているか、マット１１から離床しているかを判断する。睡眠状態判断部２０ａは、ユーザ１がマット１１から離床していると判断した場合には、離床信号を無線通信部２０ｂによって中継装置４０を介して機器操作信号送信装置３０の無線通信部３０ｂに送信する。
【００１７】
中継装置４０は、携帯端末５０の無線通信部５０ｂ、睡眠状態解析装置２０の無線通信部２０ｂ、及び機器操作信号送信装置３０の無線通信部３０ｂと相互に通信する。中継装置４０と、無線通信部５０ｂ、３０ｂ、２０ｂとの通信方式には、無線ＬＡＮやＢｌｕｅｔｏｏｔｈ（登録商標）が含まれる。中継装置４０の通信方式が、無線ＬＡＮである場合には、中継装置４０は、無線ＬＡＮルータである。
【００１８】
機器操作信号送信装置３０は、機器通信部３０ａ、無線通信部３０ｂ、設定値記憶部３０ｃを有している。機器通信部３０ａは、空調機器６１及び照明機器６２と通信する。機器通信部３０ａの通信方式は、空調機器６１及び照明機器６２に固有のリモートコントローラ（図示せず）の通信方式と同一であり、赤外線通信が含まれる。無線通信部３０ｂ（携帯端末通信部に該当）は、中継装置４０と相互に通信する。このように、機器操作信号送信装置３０の無線通信部３０ｂは、中継装置４０を介して、携帯端末５０の無線通信部５０ｂ及び睡眠状態解析装置２０の無線通信部２０ｂと相互に通信可能となっている。
【００１９】
設定値記憶部３０ｃは、携帯端末５０から無線通信部３０ｂを介して空調機器６１や照明機器６２の設定値を受信した場合に、この設定値を更新記憶する。
【００２０】
（機器操作信号送信処理の概要）
ユーザ１は、入眠前に、携帯端末５０のマルチリモートコントローラアプリケーション５０ａを立ち上げ、このアプリケーションの操作画面を操作することにより、空調機器６１や照明機器６２をＯＮする操作を行う。すると、空調機器６１や照明機器６２をＯＮする信号（以下、適宜ＯＮ信号と略す）が、中継装置４０を介して、機器操作信号送信装置３０に送信される。ＯＮ信号を受信した機器操作信号送信装置３０（機器ＯＮ信号送信部３０ｄ）は、ＯＮ信号を空調機器６１や照明機器６２が受信可能なＯＮ信号に変換する。そして、機器操作信号送信装置３０（機器ＯＮ信号送信部３０ｄ）は、この変換したＯＮ信号を、機器通信部３０ａを介して空調機器６１や照明機器６２に送信する。そして、機器操作信号送信装置３０（機器ＯＮ信号送信部３０ｄ）は、設定値記憶部３０ｃにアクセスして、設定値記憶部３０ｃに更新記憶されている空調機器６１や照明機器６２の設定値を取得したうえで、この設定値を機器通信部３０ａを介して空調機器６１や照明機器６２に送信して、空調機器６１や照明機器６２の設定を、前回の設定値に変更する。
【００２１】
そして、睡眠状態解析装置２０によってユーザ１の睡眠が判断された場合には、睡眠信号が睡眠状態解析装置２０から中継装置４０を介して機器操作信号送信装置３０に送信される。そして、睡眠信号を受信した機器操作信号送信装置３０（睡眠状態設定値送信部３０ｅ）は、ユーザ１の睡眠状態における空調機器６１や照明機器６２の設定値である睡眠状態設定値を、機器通信部３０ａを介して、空調機器６１や照明機器６２に送信する。
【００２２】
このように、ユーザ１が入眠する前に、携帯端末５０を操作して、空調機器６１や照明機器６２をＯＮするだけで、空調機器６１や照明機器６２が、ＯＮされたうえで、前回ユーザ１が設定した設定値に自動的に設定され、ユーザ１が睡眠した場合には、空調機器６１や照明機器６２の設定値が睡眠状態設定値に変更される。このように、入眠前のユーザ１に煩雑な操作を強いないので、ユーザ１の入眠が阻害されない。以下に、このような機能を実現する「機器操作信号送信処理」について詳細に説明する。
【００２３】
（機器操作信号送信処理）
以下に、図２に示すタイムチャート及び図３に示すフローチャートを用いて、機器操作信号送信装置３０が実行する「機器操作信号送信処理」について説明する。なお、図２において、実線はユーザ１が自然に覚醒する場合を示し、破線はユーザ１が空調機器６１や照明機器６２によって覚醒が促されて覚醒する場合を示す。機器操作信号送信装置３０に電源が投入されると、プログラムはステップＳ１１に進む。
【００２４】
ステップＳ１１において、機器操作信号送信装置３０は、携帯端末５０から空調機器６１又は照明機器６２のＯＮ信号を受信したと判断した場合には（ステップＳ１１：ＹＥＳ）、プログラムをステップＳ１２に進める。一方で、機器操作信号送信装置３０は、携帯端末５０からＯＮ信号を受信していないと判断した場合には（ステップＳ１１：ＮＯ）、プログラムをステップＳ１４に進める。
【００２５】
ステップＳ１２において、機器操作信号送信装置３０は、設定値記憶部３０ｃにアクセスすることにより、受信したＯＮ信号に対応する機器６１、６２の設定値を取得する。なお、空調機器６１の設定値は、第一設定温度Ｔ１である。また、照明機器６２の設定値は、第一設定照度Ｌ１である。ステップＳ１２が終了すると、機器操作信号送信装置３０は、プログラムをステップＳ１３に進める。
【００２６】
ステップＳ１３において、機器操作信号送信装置３０（機器ＯＮ信号送信部３０ｄ）は、ステップＳ１１で受信したＯＮ信号に対応する機器６１、６２に、ＯＮ信号を機器通信部３０ａを介して送信して、機器６１、６２をＯＮする。そして、機器操作信号送信装置３０（機器ＯＮ信号送信部３０ｄ）は、ＯＮした機器６１、６２に、ステップＳ１２で取得した、第一設定温度Ｔ１又は第一設定照度Ｌ１を送信し、機器６１、６２の設定を、前回ユーザ１が設定した設定値に変更する（図２のｔ１）。ステップＳ１３が終了すると、機器操作信号送信装置３０は、プログラムをステップＳ１４に進める。
【００２７】
ステップＳ１４において、機器操作信号送信装置３０は、携帯端末５０から設定値変更信号を受信したと判断した場合には（ステップＳ１４：ＹＥＳ）、プログラムをステップＳ１５に進める。一方で、機器操作信号送信装置３０は、携帯端末５０から設定値変更信号を受信していないと判断した場合には（ステップＳ１４：ＮＯ）、プログラムをステップＳ１７に進める。なお、ユーザ１は、携帯端末５０のタッチパネル５０ｃに表示されているマルチリモートコントローラアプリケーション５０ａの操作画面を操作することにより、空調機器６１の第一設定温度Ｔ１や照明機器６２の第一設定照度Ｌ１を変更することができる。ユーザ１が、上記操作を実行することにより第一設定温度Ｔ１又は第一設定照度Ｌ１を変更すると、第一設定温度Ｔ１又は第一設定照度Ｌ１は、無線通信部５０ｂから中継装置４０を介して、機器操作信号送信装置３０の無線通信部３０ｂに送信される。
【００２８】
ステップＳ１５において、機器操作信号送信装置３０は、受信した変更後の第一設定温度Ｔ１又は第一設定照度Ｌ１を、設定値記憶部３０ｃに更新記憶して、プログラムをステップＳ１６に進める。
【００２９】
ステップＳ１６において、機器操作信号送信装置３０は、受信した変更後の第一設定温度Ｔ１又は第一設定照度Ｌ１を、機器通信部３０ａを介して空調機器６１又は照明機器６２に送信し、空調機器６１の設定値を変更後の第一設定温度Ｔ１に変更し、又は照明機器６２の設定値を変更後の第一設定照度Ｌ１に変更する。ステップＳ１６が終了すると、機器操作信号送信装置３０は、プログラムをステップＳ１７に進める。
【００３０】
ステップＳ１７において、機器操作信号送信装置３０は、携帯端末５０から起床時刻設定信号を受信したと判断した場合には（ステップＳ１７：ＹＥＳ）、プログラムをステップＳ１８に進める。一方で、機器操作信号送信装置３０は、携帯端末５０から起床時刻設定信号を受信していないと判断した場合には（ステップＳ１７：ＮＯ）、プログラムをステップＳ２１に進める。なお、ユーザ１は、携帯端末５０のタッチパネル５０ｃに表示されているマルチリモートコントローラアプリケーション５０ａの操作画面を操作することにより、ユーザ１の起床時刻を設定することができる。ユーザ１が、上記操作を実行することにより自身の起床時刻を設定すると、起床時刻設定信号が、無線通信部５０ｂから中継装置４０を介して、機器操作信号送信装置３０の無線通信部３０ｂに送信される。
【００３１】
ステップＳ１８において、機器操作信号送信装置３０は、受信した起床時刻設定信号の起床時刻を設定値記憶部３０ｃに更新記憶し、プログラムをステップＳ２１に進める。
【００３２】
ステップＳ２１において、機器操作信号送信装置３０は、睡眠状態解析装置２０からユーザ１が睡眠した旨の信号である睡眠信号を受信したと判断した場合には（ステップＳ２１：ＹＥＳ）、プログラムをステップＳ２２に進める。一方で、機器操作信号送信装置３０は、睡眠状態解析装置２０から睡眠信号を受信していないと判断した場合には（ステップＳ２１：ＮＯ）、プログラムをステップＳ１１に戻す。
【００３３】
ステップＳ２２において、機器操作信号送信装置３０は、睡眠信号を受信してから第一規定時間Δｔ１を経過したと判断した場合には（ステップＳ２２：ＹＥＳ）、プログラムをステップＳ２３に進める。一方で、機器操作信号送信装置３０は、睡眠信号を受信してから第一規定時間Δｔ１を経過していないと判断した場合には（ステップＳ２２：ＮＯ）、ステップＳ２２の処理を繰り返す。
【００３４】
ステップＳ２３において、機器操作信号送信装置３０（睡眠状態設定値送信部３０ｅ）は、第二設定温度Ｔ２を、機器通信部３０ａを介して空調機器６１に送信して、空調機器６１の設定温度を第二設定温度Ｔ２に変更する（図２のｔ３）。なお、第二設定温度Ｔ２は、下式（１）の関係となっている。
Ｔ２＝Ｔ１−ａ…（１）
Ｔ２：第二設定温度
Ｔ１：第一設定温度
ａ：第一規定温度（例えば１℃）
つまり、第二設定温度Ｔ２は、第一設定温度Ｔ１よりも低い温度であり、第一設定温度Ｔ１に基づいて設定される。このように、ユーザ１の睡眠後に、空調機器６１の設定温度が自動的により低い第二設定温度Ｔ２に設定される。このため、ユーザ１の体温を下げて、ユーザ１をより深い睡眠に導くことができる。
【００３５】
そして、機器操作信号送信装置３０（睡眠状態設定値送信部３０ｅ）は、ＯＦＦ信号を、機器通信部３０ａを介して照明機器６２に送信して、照明機器６２を消灯する（図２のｔ３）。このように、ユーザ１が照明機器６２を消し忘れて寝てしまった場合には、ユーザ１の睡眠後に、照明機器６２が自動的に消灯される。ステップＳ２３が終了すると、機器操作信号送信装置３０は、プログラムをステップＳ３１に進める。
【００３６】
ステップＳ３１において、機器操作信号送信装置３０は、睡眠状態解析装置２０から途中覚醒信号及び離床信号の両方を受信したと判断した場合には（ステップＳ３１：ＹＥＳ）、プログラムをステップＳ３２に進める。一方で、機器操作信号送信装置３０は、睡眠状態解析装置２０から途中覚醒信号及び離床信号の両方を受信していないと判断した場合には（ステップＳ３１：ＮＯ）、プログラムをステップＳ４１に進める。
【００３７】
ステップＳ３２において、機器操作信号送信装置３０（途中覚醒時設定値送信部３０ｉ）は、第一設定温度Ｔ１を、機器通信部３０ａを介して空調機器６１に送信して、空調機器６１の設定温度を第一設定温度Ｔ１に変更する（図２のｔ６）。このように、ユーザ１が途中覚醒によりトイレに行く等で離床した場合には、空調機器６１の設定温度が、ユーザ１が前回設定した第一設定温度Ｔ１に戻されるので、ユーザ１が寒く感じ無い。
【００３８】
そして、機器操作信号送信装置３０（途中覚醒時設定値送信部３０ｉ）は、ＯＮ信号及び第二設定照度Ｌ２を、機器通信部３０ａを介して照明機器６２に送信して、照明機器６２を第二設定照度Ｌ２で点灯させる（図２のｔ６）。なお、第二設定照度Ｌ２は、第一設定照度Ｌ１よりも低い照度であり、例えば、常夜灯が含まれる。このように、ユーザ１が途中覚醒によりトイレに行く等で離床した場合には、照明機器６２が自動的に第二設定照度Ｌ２で点灯される。このため、照明機器６２によって寝室内が低い照度である第二設定照度Ｌ２で照らされ、ユーザ１が安全に寝室内を移動できる。また、ユーザ１が全く操作をしなくても、照明機器６２が自動的に第二設定照度Ｌ２で点灯されるので、ユーザ１の再入眠が阻害されない。ステップＳ３２が終了すると、機器操作信号送信装置３０は、プログラムをステップＳ３３に進める。
【００３９】
ステップＳ３３において、機器操作信号送信装置３０は、途中覚醒信号及び離床信号の両方を受信してから第二規定時間Δｔ２が経過したと判断した場合には（ステップＳ３３：ＹＥＳ）、プログラムをステップＳ３４に進める。一方で、機器操作信号送信装置３０は、途中覚醒信号及び離床信号の両方を受信してから第二規定時間Δｔ２が経過していないと判断した場合には（ステップＳ３３：ＮＯ）、ステップＳ３３の処理を繰り返す。
【００４０】
ステップＳ３４において、機器操作信号送信装置３０は、第二設定温度Ｔ２を、機器通信部３０ａを介して空調機器６１に送信して、空調機器６１の設定温度を第二設定温度Ｔ２に変更する（図２のｔ８）。このように、ユーザ１が再入眠する際に、空調機器６１によって寝室の温度が第二設定温度Ｔ２に低下するので、ユーザ１の体温を下げて、ユーザ１をより深い睡眠に導くことができる。
【００４１】
また、機器操作信号送信装置３０は、ＯＦＦ信号を、機器通信部３０ａを介して照明機器６２に送信して、照明機器６２を消灯する（図２のｔ８）。このように、ユーザ１が離床後に第二規定時間Δｔ２が経過すると、自動的に照明機器６２が消灯されるので、ユーザ１が照明機器６２を消灯するための操作をする必要が無く、ユーザ１の再入眠が妨げられない。ステップＳ３４が終了すると、プログラムはステップＳ４１に進む。
【００４２】
ステップＳ４１において、機器操作信号送信装置３０は、覚醒直前信号を受信したと判断した場合には（ステップＳ４１：ＹＥＳ）、プログラムをステップＳ４２に進める。一方で、機器操作信号送信装置３０は、覚醒直前信号を受信していないと判断した場合には（ステップＳ４１：ＮＯ）、プログラムをステップＳ５１に進める。
【００４３】
ステップＳ４２において、機器操作信号送信装置３０（覚醒状態設定値送信部３０ｆ）は、第三設定温度Ｔ３を、機器通信部３０ａを介して空調機器６１に送信して、空調機器６１の設定温度を第三設定温度Ｔ３に変更する（図２のｔ９）。なお、第三設定温度Ｔ３は、下式（２）の関係となっている。
Ｔ３＝Ｔ１＋ｂ…（２）
Ｔ３：第三設定温度
Ｔ１：第一設定温度
ｂ：第二規定温度（例えば１℃）
つまり、第三設定温度Ｔ３は、第一設定温度Ｔ１よりも高い温度であり、第一設定温度Ｔ１に基づいて設定される。このように、ユーザ１が覚醒しようとしている際に、空調機器６１の設定温度が自動的により高い第三設定温度Ｔ３に設定される。このため、ユーザ１の体温を上げて、ユーザ１の覚醒を促し、ユーザ１の目覚めを良くすることができる。
【００４４】
また、機器操作信号送信装置３０（覚醒状態設定値送信部３０ｆ）は、ＯＮ信号及び第二設定照度Ｌ２を、機器通信部３０ａを介して照明機器６２に送信して、照明機器６２を第二設定照度Ｌ２で点灯させる（図２のｔ９）。これにより、寝室が照明機器６２によって第二設定照度Ｌ２で照らされるので、ユーザ１の覚醒が促される。ステップＳ４２が終了すると、機器操作信号送信装置３０は、プログラムをステップＳ５１に進める。
【００４５】
ステップＳ５１において、機器操作信号送信装置３０は、ステップＳ１８で更新記憶された起床時刻よりも第三規定時間Δｔ３前の時刻に到来したと判断した場合には（ステップＳ５１：ＹＥＳ、図２のｔ１１）、プログラムをステップＳ５２に進める。一方で、機器操作信号送信装置３０は、起床時刻よりも第三規定時間Δｔ３前の時刻に到来していないと判断した場合には（ステップＳ５１：ＮＯ）、プログラムをステップＳ６１に進める。
【００４６】
ステップＳ５２において、機器操作信号送信装置３０（起床時設定値送信部３０ｇ）は、ステップＳ４２で第三設定温度Ｔ３を空調機器６１に送信していなかった場合に、つまり、ユーザ１が覚醒直前となる前に、起床時刻よりも第三規定時間Δｔ３前の時刻に到来した場合（図２の点線で示す場合）に、機器通信部３０ａを介して第三設定温度Ｔ３を空調機器６１に送信して、空調機器６１の設定温度を第三設定温度Ｔ３に変更する（図２のｔ１１において点線で示す温度変化）。このように、起床時刻よりも第三規定時間Δｔ３前に、空調機器６１の設定温度が自動的により高い第三設定温度Ｔ３に設定される。このため、ユーザ１の体温を上げて、ユーザ１の覚醒を促し、ユーザ１の目覚めを良くすることができる。
【００４７】
また、機器操作信号送信装置３０（起床時設定値送信部３０ｇ）は、ステップＳ４２でＯＮ信号及び第二設定照度Ｌ２を照明機器６２に送信していなかった場合に、つまり、ユーザ１が覚醒直前となる前に、起床時刻よりも第三規定時間Δｔ３前の時刻に到来した場合（図２の点線で示す場合）に、機器通信部３０ａを介してＯＮ信号及び第二設定照度Ｌ２を照明機器６２に送信して、照明機器６２を第二設定照度Ｌ２で点灯させる（図２のｔ１１において点線で示す照度の変化）。これにより、寝室が照明機器６２によって第二設定照度Ｌ２で照らされるので、ユーザ１の覚醒が促される。ステップＳ５２が終了すると、機器操作信号送信装置３０は、プログラムをステップＳ５３に進める。
【００４８】
ステップＳ５３において、機器操作信号送信装置３０は、ステップＳ１８で更新記憶された起床時刻に到来したと判断した場合には（ステップＳ５３：ＹＥＳ）、プログラムをステップＳ５４に進める。一方で、機器操作信号送信装置３０は、起床時刻に到来していないと判断した場合には（ステップＳ５３：ＮＯ）、ステップＳ５３の処理を繰り返す。
【００４９】
ステップＳ５４において、機器操作信号送信装置３０（起床時設定値送信部３０ｇ）は、機器通信部３０ａを介して第三設定照度Ｌ３を照明機器６２に送信して、照明機器６２の設定照度を第三設定照度Ｌ３に変更する（図２のｔ１２）。なお、第三設定照度Ｌ３は、第一設定照度Ｌ１より高い照度であり、本実施形態では照明機器６２の最高の照度である。これにより、起床時刻に達すると、寝室が第三設定照度Ｌ３で照らされるので、ユーザ１が速やかに目覚めることができる。ステップＳ５４が終了すると、機器操作信号送信装置３０はプログラムをステップＳ６１に進める。
【００５０】
ステップＳ６１において、機器操作信号送信装置３０は、離床信号を受信したと判断した場合には（ステップＳ６１：ＹＥＳ）、プログラムをステップＳ６２に進める。一方で、機器操作信号送信装置３０は、離床信号を受信していないと判断した場合には（ステップＳ６１：ＮＯ）、プログラムをステップＳ３１に戻す。
【００５１】
ステップＳ６２において、機器操作信号送信装置３０は、離床信号を受信してから第四規定時間Δｔ４が経過したと判断した場合には（ステップＳ６２：ＹＥＳ）、プログラムをステップＳ６３に進める。一方で、機器操作信号送信装置３０は、離床信号を受信してから第四規定時間Δｔ４が経過していないと判断した場合には（ステップＳ６２：ＮＯ）、ステップＳ６２の処理を繰り返す。
【００５２】
ステップＳ６３において、機器操作信号送信装置３０（機器ＯＦＦ信号送信部３０ｈ）は、機器通信部３０ａを介してＯＦＦ信号を空調機器６１及び照明機器６２に送信することにより、空調機器６１を停止させるとともに、照明機器６２を消灯する。このように、ユーザ１が離床した後に、自動的に空調機器６１が停止されるとともに、照明機器６２が消灯される。このため、ユーザ１が空調機器６１を停止し忘れた場合には、空調機器６１が停止され、ユーザ１が照明機器６２を消灯し忘れた場合には、照明機器６２が消灯され、電力が無駄に消費されない。ステップＳ６３が終了すると、機器操作信号送信装置３０は、プログラムをステップＳ１１に進める。
【００５３】
（本実施形態の効果）
以上の説明から明らかなように、機器操作信号送信装置３０（機器ＯＮ信号送信部３０ｄ）は、携帯端末５０から機器６１、６２をＯＮする信号を受信した場合に（図３ＡのステップＳ１１でＹＥＳと判断）、設定値記憶部３０ｃに記憶されている機器６１、６２の設定値である第一設定温度Ｔ１や第一設定照度Ｌ１で機器６１、６２をＯＮする信号を機器に送信する（図３ＡのステップＳ１３、図２のｔ１）。これにより、ユーザ１が、機器６１、６２がＯＮとなる操作を携帯端末５０で行うだけで、前回ユーザ１が設定した設定値で機器６１、６２をＯＮ状態にすることができる。このため、ユーザ１に煩雑な操作を強いること無く、ユーザ１が機器６１、６２を上記設定値でＯＮ状態にすることができるので、入眠前のユーザ１の入眠が阻害されない。
【００５４】
また、機器操作信号送信装置３０（睡眠状態設定値送信部３０ｅ）は、覚醒していたユーザ１が睡眠した場合に（図３ＡのステップＳ２１、Ｓ２２でＹＥＳと判断）、ユーザ１の睡眠状態における機器６１、６２の設定値である第二設定温度Ｔ２やＯＦＦ信号（睡眠状態設定値）を機器６１、６２に送信する。これにより、覚醒していたユーザ１が睡眠した場合に、ユーザ１の睡眠に適した設定値である睡眠状態設定値で機器が運転されるので、ユーザ１は快適に睡眠することができる。
【００５５】
また、睡眠状態設定値である第二設定温度Ｔ２は、設定値記憶部３０ｃに記憶されている空調機器６１の第一設定温度Ｔ１に基づいて設定される。これにより、睡眠状態設定値である第二設定温度Ｔ２が、ユーザ１が設定した第一設定温度Ｔ１に基づいて設定される。つまり、ユーザ１が寒がりである場合には、ユーザ１は暑がりのユーザに比べて第一設定温度Ｔ１を高めに設定するので、第二設定温度Ｔ２もまた高めに設定される。一方で、ユーザ１が暑がりである場合には、ユーザ１は寒がりのユーザに比べて第一設定温度Ｔ１を低めに設定するので、第二設定温度Ｔ２もまた低めに設定される。このため、第二設定温度Ｔ２が、ユーザ１の好みや体質に基づいて設定した第一設定温度Ｔ１に基づいて設定されるので、ユーザ１が快適に睡眠することができる。
【００５６】
また、機器操作信号送信装置３０（覚醒状態設定値送信部３０ｆ）は、睡眠していたユーザ１が覚醒直前である場合に（図３ＢのステップＳ４１でＹＥＳと判断）、ユーザ１の覚醒直前時における機器６１、６２の設定値である第三設定温度Ｔ３や第二設定照度Ｌ２（覚醒状態設定値）を機器６１、６２に送信する。これにより、睡眠していたユーザ１が覚醒しようとしている場合に、ユーザ１の覚醒を促す設定値である第三設定温度Ｔ３や第二設定照度Ｌ２で機器６１、６２が運転されるので、ユーザ１は心地よく覚醒することができる。
【００５７】
また、機器操作信号送信装置３０（起床時設定値送信部３０ｇ）は、ユーザ１の起床時刻に基づいた時刻が到来した場合に（図３ＢのステップＳ５１でＹＥＳと判断、ステップＳ５３でＹＥＳと判断）、ユーザ１の起床時における機器６１、６２の設定値である第三設定温度Ｔ３や、第二設定照度Ｌ２、第三設定照度Ｌ３（起床時設定値）を機器６１、６２に送信する。これにより、ユーザ１の起床時刻に基づいた時刻が到来した場合に、ユーザ１の起床を促す設定値である第三設定温度Ｔ３や、第二設定照度Ｌ２、第三設定照度Ｌ３で機器６１、６２が運転されるので、ユーザ１は心地よく起床することができる。
【００５８】
また、機器操作信号送信装置３０（機器ＯＦＦ信号送信部３０ｈ）は、ユーザ１が離床した場合に（図３ＢのステップＳ６１、Ｓ６２でＹＥＳと判断）、機器６１、６２をＯＦＦする信号を機器６１、６２に送信する。これにより、ユーザ１が離床した場合において、機器６１、６２をＯＦＦし忘れた場合に、機器６１、６２が自動的にＯＦＦされるので、機器６１、６２によって無駄に電力が消費されてしまうことが防止される。
【００５９】
また、機器操作信号送信装置３０（途中覚醒時設定値送信部３０ｉ）は、ユーザ１が途中覚醒により離床した場合に（図３ＢのステップＳ３１でＹＥＳと判断）、ユーザ１の途中覚醒時における機器６１、６２の設定値である第一設定温度Ｔ１や第二設定照度Ｌ２（途中覚醒時設定値）を機器６１、６２に送信する。これにより、ユーザ１が途中覚醒した場合に、ユーザ１の途中覚醒時に適した第一設定温度Ｔ１や第二設定照度Ｌ２で機器６１、６２が運転されるので、ユーザ１は快適に生活をすることができる。
【００６０】
（別の実施形態）
以上説明した実施形態では、第二設定温度Ｔ２や第三設定温度Ｔ３は、第一設定温度Ｔ１に基づいて設定される。しかし、第二設定温度Ｔ２や第三設定温度Ｔ３の少なくとも一方が、第一設定温度Ｔ１に基づくものではない固定値である実施形態であっても差し支え無い。
【００６１】
以上説明した実施形態では、第二設定照度Ｌ２や第三設定照度Ｌ３は固定値である。しかし、第二設定照度Ｌ２及び第三設定照度Ｌ３の少なくとも一方が、第一設定照度Ｌ１に基づいて設定される実施形態であっても差し支え無い。
【００６２】
以上説明した実施形態では、空調機器の設定温度および照明器具の照度が３段階で設定されているが、４段階以上で設定される実施形態であっても差し支え無い。
【００６３】
以上説明した実施形態では、ステップＳ２３において、機器操作信号送信装置３０は、照明機器６２にＯＦＦ信号を送信している。しかし、機器操作信号送信装置３０が、照明機器６２に第二設定照度Ｌ２を送信する実施形態であっても差し支え無い。
【００６４】
以上説明した実施形態では、機器操作信号送信装置３０（覚醒状態設定値送信部３０ｆ）は、覚醒直前信号を受信した場合に（図３ＢのステップＳ４１でＹＥＳと判断）、ステップＳ４２において、第三設定温度Ｔ３を空調機器６１に送信し、第二設定照度Ｌ２を照明機器６２に送信している。しかし、機器操作信号送信装置３０（覚醒状態設定値送信部３０ｆ）が、睡眠状態解析装置２０からユーザ１が覚醒した旨の信号である覚醒信号を受信した場合に（図２のｔ１０）、第三設定温度Ｔ３を空調機器６１に送信し、第二設定照度Ｌ２を照明機器６２に送信する実施形態であっても差し支え無い。
【００６５】
以上説明した実施形態では、ユーザ１が途中覚醒により離床した場合に（図３ＢのＳ３１でＹＥＳと判断）、機器操作信号送信装置３０（途中覚醒時設定値送信部３０ｉ）は、第一設定温度Ｔ１や第二設定照度Ｌ２（途中覚醒時設定値）を機器６１、６２に送信している。しかし、ユーザ１が途中覚醒しそうな場合や（図２のｔ４）、ユーザ１が覚醒した場合に（図２のｔ５）、機器操作信号送信装置３０（途中覚醒時設定値送信部３０ｉ）が、第一設定温度Ｔ１や第二設定照度Ｌ２（途中覚醒時設定値）を機器６１、６２に送信する実施形態であっても差し支え無い。
【００６６】
以上説明した実施形態では、ユーザ１が離床してから第二規定時間Δｔ２が経過した場合に、機器操作信号送信装置３０は、第二設定温度Ｔ２を空調機器６１に送信し、ＯＦＦ信号を照明機器６２に送信している。しかし、睡眠信号を受信した場合、或いは、睡眠信号を受信してから所定時間が経過した場合に、機器操作信号送信装置３０が、第二設定温度Ｔ２を空調機器６１に送信し、ＯＦＦ信号を照明機器６２に送信する実施形態であっても差し支え無い。
【００６７】
機器操作信号送信装置３０の無線通信部３０ｂが、携帯端末５０の無線通信部５０ｂや睡眠状態解析装置２０の無線通信部２０ｂと直接通信する実施形態であっても差し支え無い。また、睡眠状態解析装置２０と機器操作信号送信装置３０が一体となっている実施形態であっても差し支え無い。
【００６８】
以上説明した実施形態では、ユーザ１が携帯端末５０で操作する機器として空調機器６１及び照明機器６２を例に挙げて説明した、しかし、ユーザ１が携帯端末５０で操作する機器は、これらに限定されず、例えば、暖房機器や扇風機、テレビ等の機器であっても差し支え無い。
【符号の説明】
【００６９】
１３…生体情報検出部、２０ａ…睡眠状態判断部、３０ａ…機器通信部、３０ｂ…無線通信部（携帯端末通信部）、３０ｃ…設定値記憶部、３０ｄ…機器ＯＮ信号送信部、３０ｅ…睡眠状態設定値送信部、３０ｇ…起床時設定値送信部、５０…携帯端末、６１…空調機器（ユーザが使用する機器）、６２…照明機器（ユーザが使用する機器）、１００…機器操作システム
【図１】
2016065665.tif 000003
【図２】
2016065665.tif 000004
【図３Ａ】
2016065665.tif 000005
【図３Ｂ】
2016065665.tif 000006